【手続補正書】
【提出日】平成15年12月26日(2003.12.26)
【手続補正１】
【補正対象書類名】明細書
【補正対象項目名】特許請求の範囲
【補正方法】変更
【補正の内容】
【特許請求の範囲】
【請求項１】
撮像センサと、
前記撮像センサの画素欠陥位置を所定時間経過するごとに検出する検出手段と、
前記検出手段の検出結果を更新記憶する記憶手段と、
を有することを特徴とする撮像装置。
【請求項２】
前記検出手段の検出結果により前記撮像センサが撮像した画像を補正する補正手段を有することを特徴とする請求項１記載の撮像装置。
【請求項３】
前記検出手段の検出結果を前記撮像センサが撮像した画像と共に記録媒体に記録する記録手段を有することを特徴とする請求項１又は２記載の撮像装置。
【請求項４】
撮像センサと、
前記撮像センサの画素欠陥位置を所定撮影回数ごとに検出する検出手段と、
前記検出手段の検出結果を更新記憶する記憶手段と、
を有することを特徴とする撮像装置。
【請求項５】
前記検出手段の検出結果により前記撮像センサが撮像した画像を補正する補正手段を有することを特徴とする請求項４記載の撮像装置。
【請求項６】
前記検出手段の検出結果を前記撮像センサが撮像した画像と共に記録媒体に記録する記録手段を有することを特徴とする請求項４又は５記載の撮像装置。
【請求項７】
撮像センサと、
前記撮像センサの画素欠陥位置を検出する検出手段と、前記検出手段の検出結果を前記撮像センサが撮像した画像と共に記録媒体に記録する記録手段とを有することを特徴とする撮像装置。
【請求項８】
撮像光学系を交換装着可能な撮像装置において、撮影開始を指示する操作手段と、装着される撮像光学系に係る撮影画像のシェーディング補正のために、該装着される撮像光学系を特定する情報を前記操作手段が操作される前に取得する特定情報取得手段とを有することを特徴とする撮像装置。
【請求項９】
前記操作手段は、第１段階の操作により撮影準備を指示し、第２段階の操作により撮影開始を指示するように構成され、前記特定情報取得手段は、前記操作手段の前記第１段階の操作が行われる前に前記撮像光学系を特定する情報を取得することを特徴とする請求項８記載の撮像装置。
【請求項１０】
前記特定情報取得手段は、装着される撮像光学系から該撮像光学系を特定する情報を取得することを特徴とする請求項８又は９記載の撮像装置。
【請求項１１】
撮像光学系が装着されることを検知する検知手段を有し、前記特定情報取得手段は、前記検知手段が前記撮像光学系の装着されることを検知することに応答して前記撮像光学系を特定する情報を取得することを特徴とする請求項８〜１０のいずれかに記載の撮像装置。
【請求項１２】
前記特定情報取得手段が取得した前記撮像光学系を特定する情報に基づくシェーディング補正のためのデータにより撮影画像を補正する補正手段を有することを特徴とする請求項８〜１１のいずれかに記載の撮像装置。
【請求項１３】
前記特定情報取得手段が取得した前記撮像光学系を特定する情報に基づくシェーディング補正のためのデータを撮影画像と共に記録媒体に記録する記録手段を有することを特徴とする請求項８〜１１のいずれかに記載の撮像装置。
【請求項１４】
撮像光学系を交換装着可能な撮像装置において、装着される撮像光学系に係る撮影画像のシェーディング補正のために、該装着される撮像光学系を特定する情報を取得する特定情報取得手段と、前記特定情報取得手段が取得した前記撮像光学系を特定する情報に基づくシェーディング補正のためのデータを撮影画像と共に記録媒体に記録する記録手段とを有することを特徴とする撮像装置。
【請求項１５】
撮影画像のシェーディング補正のための情報を取得する情報取得手段と、前記情報取得手段が取得した前記シェーディング補正のための情報を撮影画像と共に記録媒体に記録する記録手段とを有することを特徴とする撮像装置。
【請求項１６】
撮像センサの画素欠陥位置を所定時間経過するごとに検出し、前記検出結果を更新記憶することを特徴とする撮像装置の制御方法。
【請求項１７】
撮像センサの画素欠陥位置を所定撮影回数ごとに検出し、前記検出結果を更新記憶することを特徴とする撮像装置の制御方法。
【請求項１８】
撮像センサの画素欠陥位置を検出し、該検出結果を前記撮像センサが撮像した画像と共に記録媒体に記録することを特徴とする撮像装置の制御方法。
【請求項１９】
撮像光学系を交換装着可能な撮像装置の制御方法において、装着される撮像光学系に係る撮影画像のシェーディング補正のために、該装着される撮像光学系を特定する情報を撮影開始を指示する操作手段が操作される前に取得することを特徴とする撮像装置の制御方法。
【請求項２０】
撮像光学系を交換装着可能な撮像装置の制御方法において、装着される撮像光学系に係る撮影画像のシェーディング補正のために、該装着される撮像光学系を特定する情報を取得し、該取得した前記撮像光学系を特定する情報に基づくシェーディング補正のためのデータを撮影画像と共に記録媒体に記録することを特徴とする撮像装置の制御方法。
【請求項２１】
撮影画像のシェーディング補正のための情報を取得し、該取得した前記シェーディング補正のための情報を撮影画像と共に記録媒体に記録することを特徴とする撮像装置の制御方法。
【請求項２２】
撮像センサの画素欠陥位置を所定時間経過するごとに検出する内容と、前記検出結果を更新記憶する内容とを有することを特徴とする撮像装置の制御プログラムを提供する媒体。
【請求項２３】
撮像センサの画素欠陥位置を所定撮影回数ごとに検出する内容と、前記検出結果を更新記憶する内容とを有することを特徴とする撮像装置の制御プログラムを提供する媒体。
【請求項２４】
撮像センサの画素欠陥位置を検出し、該検出結果を前記撮像センサが撮像した画像と共に記録媒体に記録する内容を有することを特徴とする撮像装置の制御プログラムを提供する媒体。
【請求項２５】
撮像光学系を交換装着可能な撮像装置の制御プログラムを提供する媒体において、装着される撮像光学系に係る撮影画像のシェーディング補正のために、該装着される撮像光学系を特定する情報を撮影開始を指示する操作手段が操作される前に取得する内容を有することを特徴とする撮像装置の制御プログラムを提供する媒体。
【請求項２６】
撮像光学系を交換装着可能な撮像装置の制御プログラムを提供する媒体において、装着される撮像光学系に係る撮影画像のシェーディング補正のために、該装着される撮像光学系を特定する情報を取得し、該取得した前記撮像光学系を特定する情報に基づくシェーディング補正のためのデータを撮影画像と共に記録媒体に記録する内容を有することを特徴とする撮像装置の制御プログラムを提供する媒体。
【請求項２７】
撮影画像のシェーディング補正のための情報を取得し、該取得した前記シェーディング補正のための情報を撮影画像と共に記録媒体に記録する内容を有することを特徴とする撮像装置の制御プログラムを提供する媒体。
【手続補正２】
【補正対象書類名】明細書
【補正対象項目名】００１３
【補正方法】変更
【補正の内容】
【００１３】
【課題を解決するための手段】
本発明の第１の側面に係わる撮像装置は、撮像センサと、前記撮像センサの画素欠陥位置を所定時間経過するごとに検出する検出手段と、前記検出手段の検出結果を更新記憶する記憶手段と、
を有することを特徴とする。


【手続補正３】
【補正対象書類名】明細書
【補正対象項目名】００１４
【補正方法】変更
【補正の内容】
【００１４】
本発明の第２の側面に係わる撮像装置は、撮像センサと、前記撮像センサの画素欠陥位置を所定撮影回数ごとに検出する検出手段と、前記検出手段の検出結果を更新記憶する記憶手段と、を有することを特徴とする。


【手続補正４】
【補正対象書類名】明細書
【補正対象項目名】００１５
【補正方法】変更
【補正の内容】
【００１５】
本発明の第３の側面に係わる撮像装置は、撮像センサと、前記撮像センサの画素欠陥位置を検出する検出手段と、前記検出手段の検出結果を前記撮像センサが撮像した画像と共に記録媒体に記録する記録手段とを有することを特徴とする。


【手続補正５】
【補正対象書類名】明細書
【補正対象項目名】００１６
【補正方法】変更
【補正の内容】
【００１６】
本発明の第４の側面に係わる撮像装置は、撮像光学系を交換装着可能な撮像装置において、撮影開始を指示する操作手段と、装着される撮像光学系に係る撮影画像のシェーディング補正のために、該装着される撮像光学系を特定する情報を前記操作手段が操作される前に取得する特定情報取得手段とを有することを特徴とする。


【手続補正６】
【補正対象書類名】明細書
【補正対象項目名】００１７
【補正方法】変更
【補正の内容】
【００１７】
本発明の第５の側面に係わる撮像装置は、撮像光学系を交換装着可能な撮像装置において、装着される撮像光学系に係る撮影画像のシェーディング補正のために、該装着される撮像光学系を特定する情報を取得する特定情報取得手段と、前記特定情報取得手段が取得した前記撮像光学系を特定する情報に基づくシェーディング補正のためのデータを撮影画像と共に記録媒体に記録する記録手段とを有することを特徴とする。


【手続補正７】
【補正対象書類名】明細書
【補正対象項目名】００１８
【補正方法】変更
【補正の内容】
【００１８】
本発明の第６の側面に係わる撮像装置は、撮影画像のシェーディング補正のための情報を取得する情報取得手段と、前記情報取得手段が取得した前記シェーディング補正のための情報を撮影画像と共に記録媒体に記録する記録手段とを有することを特徴とする。


【手続補正８】
【補正対象書類名】明細書
【補正対象項目名】００１９
【補正方法】変更
【補正の内容】
【００１９】
本発明の第７の側面に係わる撮像装置の制御方法は、撮像センサの画素欠陥位置を所定時間経過するごとに検出し、前記検出結果を更新記憶することを特徴とする。


【手続補正９】
【補正対象書類名】明細書
【補正対象項目名】００２０
【補正方法】変更
【補正の内容】
【００２０】
本発明の第８の側面に係わる撮像装置の制御方法は、撮像センサの画素欠陥位置を所定撮影回数ごとに検出し、前記検出結果を更新記憶することを特徴とする。


【手続補正１０】
【補正対象書類名】明細書
【補正対象項目名】００２１
【補正方法】変更
【補正の内容】
【００２１】
本発明の第９の側面に係わる撮像装置の制御方法は、撮像センサの画素欠陥位置を検出し、該検出結果を前記撮像センサが撮像した画像と共に記録媒体に記録することを特徴とする。


【手続補正１１】
【補正対象書類名】明細書
【補正対象項目名】００２２
【補正方法】変更
【補正の内容】
【００２２】
本発明の第１０の側面に係わる撮像装置の制御方法は、撮像光学系を交換装着可能な撮像装置の制御方法において、装着される撮像光学系に係る撮影画像のシェーディング補正のために、該装着される撮像光学系を特定する情報を撮影開始を指示する操作手段が操作される前に取得することを特徴とする。


【手続補正１２】
【補正対象書類名】明細書
【補正対象項目名】００２３
【補正方法】変更
【補正の内容】
【００２３】
本発明の第１１の側面に係わる撮像装置の制御方法は、撮像光学系を交換装着可能な撮像装置の制御方法において、装着される撮像光学系に係る撮影画像のシェーディング補正のために、該装着される撮像光学系を特定する情報を取得し、該取得した前記撮像光学系を特定する情報に基づくシェーディング補正のためのデータを撮影画像と共に記録媒体に記録することを特徴とする。


【手続補正１３】
【補正対象書類名】明細書
【補正対象項目名】００２４
【補正方法】変更
【補正の内容】
【００２４】
本発明の第１２の側面に係わる撮像装置の制御方法は、撮影画像のシェーディング補正のための情報を取得し、該取得した前記シェーディング補正のための情報を撮影画像と共に記録媒体に記録することを特徴とする。


【手続補正１４】
【補正対象書類名】明細書
【補正対象項目名】００２５
【補正方法】変更
【補正の内容】
【００２５】
本発明の第１３の側面に係わる撮像装置の制御プログラムを提供する媒体は、撮像センサの画素欠陥位置を所定時間経過するごとに検出する内容と、前記検出結果を更新記憶する内容とを有することを特徴とする。


【手続補正１５】
【補正対象書類名】明細書
【補正対象項目名】００２６
【補正方法】変更
【補正の内容】
【００２６】
本発明の第１３の側面に係わる撮像装置の制御プログラムを提供する媒体は、撮像センサの画素欠陥位置を所定撮影回数ごとに検出する内容と、前記検出結果を更新記憶する内容とを有することを特徴とする。


【手続補正１６】
【補正対象書類名】明細書
【補正対象項目名】００２７
【補正方法】変更
【補正の内容】
【００２７】
本発明の第１４の側面に係わる撮像装置の制御プログラムを提供する媒体は、撮像センサの画素欠陥位置を検出し、該検出結果を前記撮像センサが撮像した画像と共に記録媒体に記録する内容を有することを特徴とする。


【手続補正１７】
【補正対象書類名】明細書
【補正対象項目名】００２８
【補正方法】変更
【補正の内容】
【００２８】
本発明の第１５の側面に係わる撮像装置の制御プログラムを提供する媒体は、撮像光学系を交換装着可能な撮像装置の制御プログラムを提供する媒体において、装着される撮像光学系に係る撮影画像のシェーディング補正のために、該装着される撮像光学系を特定する情報を撮影開始を指示する操作手段が操作される前に取得する内容を有することを特徴とする。


【手続補正１８】
【補正対象書類名】明細書
【補正対象項目名】００２９
【補正方法】変更
【補正の内容】
【００２９】
本発明の第１６の側面に係わる撮像装置の制御プログラムを提供する媒体は、撮像光学系を交換装着可能な撮像装置の制御プログラムを提供する媒体において、装着される撮像光学系に係る撮影画像のシェーディング補正のために、該装着される撮像光学系を特定する情報を取得し、該取得した前記撮像光学系を特定する情報に基づくシェーディング補正のためのデータを撮影画像と共に記録媒体に記録する内容を有することを特徴とする。


【手続補正１９】
【補正対象書類名】明細書
【補正対象項目名】００３０
【補正方法】変更
【補正の内容】
【００３０】
本発明の第１７の側面に係わる撮像装置の制御プログラムを提供する媒体は、撮像撮影画像のシェーディング補正のための情報を取得し、該取得した前記シェーディング補正のための情報を撮影画像と共に記録媒体に記録する内容を有することを特徴とする。


【手続補正２０】
【補正対象書類名】明細書
【補正対象項目名】００３１
【補正方法】削除
【補正の内容】
【手続補正２１】
【補正対象書類名】明細書
【補正対象項目名】００３２
【補正方法】削除
【補正の内容】
【手続補正２２】
【補正対象書類名】明細書
【補正対象項目名】００３３
【補正方法】削除
【補正の内容】
【手続補正２３】
【補正対象書類名】明細書
【補正対象項目名】００３４
【補正方法】削除
【補正の内容】
【手続補正２４】
【補正対象書類名】明細書
【補正対象項目名】００３５
【補正方法】削除
【補正の内容】
【手続補正２５】
【補正対象書類名】明細書
【補正対象項目名】００３６
【補正方法】削除
【補正の内容】
【手続補正２６】
【補正対象書類名】明細書
【補正対象項目名】００３７
【補正方法】削除
【補正の内容】
【手続補正２７】
【補正対象書類名】明細書
【補正対象項目名】００３８
【補正方法】削除
【補正の内容】
【手続補正２８】
【補正対象書類名】明細書
【補正対象項目名】００３９
【補正方法】削除
【補正の内容】
【手続補正２９】
【補正対象書類名】明細書
【補正対象項目名】００４０
【補正方法】削除
【補正の内容】
【手続補正３０】
【補正対象書類名】明細書
【補正対象項目名】００４１
【補正方法】削除
【補正の内容】
【手続補正３１】
【補正対象書類名】明細書
【補正対象項目名】００４２
【補正方法】削除
【補正の内容】
【手続補正３２】
【補正対象書類名】明細書
【補正対象項目名】００４３
【補正方法】削除
【補正の内容】
【手続補正３３】
【補正対象書類名】明細書
【補正対象項目名】００４４
【補正方法】削除
【補正の内容】
【手続補正３４】
【補正対象書類名】明細書
【補正対象項目名】００４５
【補正方法】削除
【補正の内容】
【手続補正３５】
【補正対象書類名】明細書
【補正対象項目名】００４６
【補正方法】削除
【補正の内容】
【手続補正３６】
【補正対象書類名】明細書
【補正対象項目名】００４７
【補正方法】削除
【補正の内容】
【手続補正３７】
【補正対象書類名】明細書
【補正対象項目名】００４８
【補正方法】削除
【補正の内容】
【手続補正３８】
【補正対象書類名】明細書
【補正対象項目名】００４９
【補正方法】削除
【補正の内容】
【手続補正３９】
【補正対象書類名】明細書
【補正対象項目名】００５０
【補正方法】削除
【補正の内容】
【手続補正４０】
【補正対象書類名】明細書
【補正対象項目名】００５１
【補正方法】削除
【補正の内容】
【手続補正４１】
【補正対象書類名】明細書
【補正対象項目名】００５２
【補正方法】削除
【補正の内容】
【手続補正４２】
【補正対象書類名】明細書
【補正対象項目名】００５３
【補正方法】削除
【補正の内容】
【手続補正４３】
【補正対象書類名】明細書
【補正対象項目名】００５４
【補正方法】削除
【補正の内容】
【手続補正４４】
【補正対象書類名】明細書
【補正対象項目名】００５５
【補正方法】削除
【補正の内容】
【手続補正４５】
【補正対象書類名】明細書
【補正対象項目名】００５６
【補正方法】削除
【補正の内容】
【手続補正４６】
【補正対象書類名】明細書
【補正対象項目名】００５７
【補正方法】削除
【補正の内容】
【手続補正４７】
【補正対象書類名】明細書
【補正対象項目名】００５８
【補正方法】削除
【補正の内容】
【手続補正４８】
【補正対象書類名】明細書
【補正対象項目名】００５９
【補正方法】削除
【補正の内容】
【手続補正４９】
【補正対象書類名】明細書
【補正対象項目名】００６０
【補正方法】削除
【補正の内容】